(57)【要約】      （修正有）【課題】デンタルフロスが一体に形成されることで使用の便宜性が向上した、デンタルフロスが備えられた歯間ブラシを提供する。【解決手段】使用者が手で把持する取っ手部が備えられた本体と、上記本体の一端に形成され、所定の長さを有するデンタルフロスの両端を固定させるホルダーと、上記本体の他端に装着された歯間ブラシとから構成されることによって、デンタルフロスと歯間ブラシとを交代して使用することが容易で、使用の便宜性を向上させたものである。【選択図】図１
0003151190.tif 000002
【実用新案登録請求の範囲】
【請求項１】
使用者が手で把持する取っ手部が備えられた本体と、
上記本体の一端に形成され、所定の長さを有するデンタルフロスの両端を固定させるホルダーと、
上記本体の他端に装着された歯間ブラシと、を含むことを特徴とするデンタルフロスが備えられた歯間ブラシ。
【請求項２】
上記ホルダーは、
一定の間隔をおいてそれぞれ突出した形状からなり、突出した終端部にデンタルフロスの両端がそれぞれ固定される構造からなることを特徴とする請求項１に記載のデンタルフロスが備えられた歯間ブラシ。
【請求項３】
上記歯間ブラシは、
所定の間隔をおいて配列される多数のブラシ毛と、
上記ブラシ毛を固定できるように撚られた形状からなるワイヤーと、を含むことを特徴とする請求項１に記載のデンタルフロスが備えられた歯間ブラシ。
【請求項４】
上記本体に固定されるワイヤーの終端部には、
上記ワイヤーが上記本体から離脱するのを防止できるように、長さ方向に対して所定の間隔だけ突出するように折り曲げられる折曲部が形成されることを特徴とする請求項３に記載のデンタルフロスが備えられた歯間ブラシ。
【請求項５】
上記歯間ブラシは、
上記本体の他端に所定の深さだけ形成された挿入溝に、交換可能に挿入されて固定されることを特徴とする請求項３に記載のデンタルフロスが備えられた歯間ブラシ。
【考案の詳細な説明】
【技術分野】
【０００１】
本考案は、デンタルフロスが備えられた歯間ブラシに関し、より詳しくは、デンタルフロスと歯間ブラシとが一体型に形成されて、歯牙の状態に応じて速かにデンタルフロスと歯間ブラシとを交代して使用できるようにするデンタルフロスが備えられた歯間ブラシに関する。
【背景技術】
【０００２】
一般に、プラークとは、歯牙周辺に挟まるカルシウムと燐成分の結合体で、飲食後に歯を磨かなければ、歯牙と歯茎との間に帯がまとわり付くように形成される物質を言い、プラークを除去せずに放置すると、細菌の温床となって歯牙疾患の原因になる。
【０００３】
このようなプラークに因って発生する歯牙疾患には歯石（Dental Calculus）があり、上記歯石は、歯牙表面に歯面細菌膜（Bacterial Plaque）が長い間付着すると、唾液のカルシウムと燐成分が吸収されて石灰化され石のように固まるものであり、主に歯茎の上側に付着している歯石は、大慨、唾液の成分が石灰化されたもので、黄色又は白色を帯びる。また、歯茎の下、即ち歯茎の中にも歯石ができるが、これは歯茎の炎症のある血液からカルシウムと燐が出て固まったものであるため、灰色又は黒色を帯びる。
【０００４】
正しい歯磨きをすれば、このような歯石の発生を防止し健康な歯牙を維持することもできるが、歯ブラシが届き難い歯牙の隙間に異物が挟まって歯石が発生するのを防止するために、デンタルフロスや歯間ブラシを使用する。
【０００５】
デンタルフロスは、歯牙間に挿入して上下及び前後に動かしながら歯牙間に挟まった異物を除去する道具であり、歯牙間が狭くて歯間ブラシが挿入できない場合に主に使われるが、手で両端を掴み口内に手を入れて使用しなければならないといった不便さがある。
【０００６】
歯間ブラシは、ワイヤーに多数のブラシ毛を位置させた状態でワイヤーを撚って固定させた道具であって、ブラシ毛が形成された部分を歯牙間に挿入して異物を除去するのに使われる。歯間ブラシは、使用するのに便利であるが、歯牙の隙間が狭くてブラシ毛が挿入できない場合は使用不可であるという短所がある。
【０００７】
上述の通り、従来のデンタルフロスと歯間ブラシは、使用方法や歯牙の状態及び歯牙間に挟まった異物の状態などにより交代して使用するのが望ましい。即ち、歯牙間の隙間が狭くて歯間ブラシが挿入できない所にはデンタルフロスを使用するべきであり、固い異物が歯牙間にがっちり挟まった場合は、デンタルフロスで先ず異物を除去した後に歯間ブラシで仕上げるべきである。しかし、別途に構成されたデンタルフロスと歯間ブラシを共に常時携帯するのは不便である。
【考案の概要】
【考案が解決しようとする課題】
【０００８】
上記のような点に鑑みて案出された本考案の目的は、デンタルフロスと歯間ブラシとが一体型に形成され、デンタルフロスと歯間ブラシの用途に合わせて交代して使用するのに便利で、保管及び携帯し易いデンタルフロスが備えられた歯間ブラシを提供することにある。
【課題を解決するための手段】
【０００９】
上記のような本考案の目的を達成するためのデンタルフロスが備えられた歯間ブラシは、使用者が手で把持する取っ手部が備えられた本体；上記本体の一端に形成され、所定の長さを有するデンタルフロスの両端を固定させるホルダー；及び、上記本体の他端に装着された歯間ブラシ；から構成される。
【００１０】
また、上記ホルダーは、一定の間隔をおいてそれぞれ突出した形状からなり、突出した終端部にデンタルフロスの両端がそれぞれ固定される構造からなる。
また、上記歯間ブラシは、所定の間隔をおいて配列される多数のブラシ毛；及び、上記ブラシ毛を固定できるように撚られた形状からなるワイヤー；から構成される。
【００１１】
また、上記歯間ブラシは、上記本体の他端に所定の深さだけ形成された挿入溝に、交換可能に挿入されて固定される。
【考案の効果】
【００１２】
このように、本考案によるデンタルフロスが備えられた歯間ブラシは、デンタルフロスと歯間ブラシとが一体型に形成されることで、状況に合わせてデンタルフロスと歯間ブラシとを交代して使用するのが容易であるため、便利性が向上するという効果がある。
【００１３】
また、歯間ブラシを交換して使用することができるため、製品の使用寿命が延長されるという効果がある。
【図面の簡単な説明】
【００１４】
【図１】本考案の望ましい第１実施例によるデンタルフロスが備えられた歯間ブラシを示した斜視図である。
【図２】デンタルフロスが備えられた歯間ブラシを示した側面図である。
【図３】本考案の望ましい第２実施例によるデンタルフロスが備えられた歯間ブラシを示した側面図である。
【考案を実施するための形態】
【００１５】
以下、添付図面を参照しながら本考案の望ましい一実施例によるデンタルフロスが備えられた歯間ブラシをより詳しく説明する。
図１は、本考案の望ましい第１実施例によるデンタルフロスが備えられた歯間ブラシを示した斜視図であり、図２は、デンタルフロスが備えられた歯間ブラシを示した側面図である。
【００１６】
図示したように、本考案の望ましい第１実施例によるデンタルフロスが備えられた歯間ブラシは、所定の長さを有する棒状で、使用者が手で把持できるように取っ手部１１が備えられた本体１０と、本体１０の一端に形成されたホルダー１２と、本体１０の他端に装着された歯間ブラシ３０とからなる。
【００１７】
ホルダー１２は、本体１０の一端に所定の間隔をおいて二本の柱がそれぞれ突出した形状からなり、その終端にデンタルフロス２０の両端が固定された構造からなる。図示したように、ホルダー１２は口内に挿入しやすいように半円をなす弧形であることが望ましい。また、図示してはいないが、ホルダー１２の終端にデンタルフロス２０を掛けることのできるスリットを形成して、デンタルフロス２０を掛け替えて使用する構造にすることもできる。
【００１８】
歯間ブラシ３０は、所定の間隔をおいて配列されるブラシ毛３２と、ブラシ毛３２を固定できるように撚られた形状のワイヤー３１とから構成される。ブラシ毛３２をワイヤー３１の上に配列させた状態でワイヤー３１を撚ってブラシ毛３２を固定させる構造である。
【００１９】
また、ワイヤー３１の終端が本体１０の他端に結合される。ワイヤー３１の終端部が本体１０の他端に一定の深さだけ挿入され固定されて一体に形成されるのである。そして、ワイヤー３１の終端部には、長さ方向に対して所定の間隔だけ突出するように折り曲げられる折曲部３１ａが形成され、本体１０の他端部には、折曲部３１ａが形成されたワイヤー３１の終端部に対応する形状の固定溝１３が形成されて、本体１０からワイヤー３１が容易に離脱するのを防止する。折曲部３１ａは、図示したように、ワイヤー３１の終端から一定の間隔をおいた位置に形成されてもよく、終端が長さ方向に対して所定の角をなすように折り曲げられる構造であってもよい。この時、ワイヤー３１の終端部に折曲部３１ａが形成されずに本体１０に堅固に固定される構造であってもよいが、上述の通り、折曲部３１ａが形成されて、長時間使用しても容易に離脱しないようにする構造に形成されるのが望ましい。
【００２０】
上記のように構成された本考案の望ましい第１実施例によるデンタルフロスが備えられた歯間ブラシは、本体１０の一側に形成されたデンタルフロス２０と他側に形成された歯間ブラシ３０とを適切に交代使用して歯牙間に挟まった異物を除去できるようにするものである。
【００２１】
歯牙間の隙間が狭かったり、固い異物が強固に挟まった場合は、デンタルフロス２０を用いて歯牙間の異物を除去し、歯牙間の隙間が歯間ブラシ３０が挿入可能な程度である場合や固い異物の除去が完了した後には、歯間ブラシ３０を用いて歯牙間の異物を確実に除去できるようにするものである。
【００２２】
同様に、本考案の望ましい第２実施例によるデンタルフロスが備えられた歯間ブラシは、図３に示したように、本体１０の他端に所定の深さだけ陥没した挿入溝１１３が形成され、ワイヤー３１の終端が挿入溝１１３に挿入されて固定される構造からなる。即ち、挿入溝１１３に挿入されて固定される歯間ブラシ３０の交換が可能な構造に形成されるのである。その他の構造及び作動は、本考案の望ましい第１実施例と同一である。
【００２３】
本考案は、上述した特定の望ましい実施例に限定されるものではなく、当該考案の属する技術分野についての通常の知識を有する者であれば誰でも、請求範囲にて請求する本考案の要旨を逸脱せずに多様な変形実施が可能であることは勿論のこと、そのような変更は請求範囲の記載の範囲内である。
【符号の説明】
【００２４】
１０：本体
１１：取っ手部
１２：ホルダー
２０：デンタルフロス
３０：歯間ブラシ
３１：ワイヤー
３１ａ：折曲部
３２：ブラシ毛
１１３：挿入溝
【図１】
0003151190.tif 000003
【図２】
0003151190.tif 000004
【図３】
0003151190.tif 000005